(57)【要約】【課題】  従来の携帯物を携帯する方法としては、衣服のポケット、手に持つバック、あるいはベルトに挟むなどが主流であった。  しかし、携帯機器のように携帯しながら、音を聞く、操作をする、あるいはすばやく着脱を必要とするものなどが要求されるが、現状では限られた携帯方法でその要求に満たしていない。【手段】本発明はこれらの欠点を補う為に、携帯物を衣服のどの場所にでも係止できる取り付け具であって、衣服の布面にたわみをつくり、そのたわみに布針を安全に刺し止めすることで、フック又は、ホルダーなどの装備されている携帯物を係止できる、携帯物取り付け具を提供するものである。【選択図】図１
2007319647.tif 000002
【特許請求の範囲】
【請求項１】
衣服の布面の一部にたわみをつくり、そのたわみに布針を安全に刺し止めることで衣服に固定される装着部であって、
装着部（１Ａ）の下部には、凹み（３）と窓（４）を設け、さらにその凹みに向けて小さな突起（５）又は弾性を有する植毛を無数設けてある。
一方、刺し針レバー（６）には、布針（７）と支え棒（８）を一体化したもので、さらに、回転歯（９）を軸（１０）を介して、装着部（１Ａ）に組み込まれる構成で、これらを組み合わせた携帯物取り付け具。
【発明の詳細な説明】
【発明の詳細な説明】
【技術分野】
【０００１】  本発明は、携帯物にクリップ又は、ホルダーなどが装備されていて、従来までのベルト又は、衣服のポケットの渕などに係止していたものを、衣服類のどの場所にでも、簡単に着脱可能にした携帯物取り付け具に関するものである。
【背景技術】
【０００２】  携帯電話を始め、カメラ、ウォークマンなど時代とともに小形軽量化が進み、より携帯物として持ち歩く人が多くなっている。
これらを持ち歩く従来の携帯方法としては、
イ）ポケットに入れる
ロ）ストラップを使って首につるす
ハ）携帯専用のバックに入れる
ニ）ベルトに挟む
などのようになされていた。
【発明が解決しようとする課題】
【０００３】  但し、これらは、従来からあった限られた携帯方法で、携帯物によっては、より身元に近く、より操作しやすい要求には満たしていない。
例えば、着物を着て携帯電話を携帯するとした場合、例外として携帯バックに入れるでしょう。
つまり、人体からは完全に離れてしまうので、微振動などの体感で受けることも不可能になる。
したがって混雑した場所で、携帯電話がかかってきても聞き取れにくく、緊急性の電話に対応できないこともある。
【課題を解決するための手段】
【０００４】  これらを解決すべく本発明は、衣服のどの場所にでも携帯物を係止できるように、布面にしっかりと取付けられる携帯物取り付け具である。
その方法は、
衣服の布面の一部にたわみをつくり、そのたわみに、布針を安全に刺し止めることで衣服に固定される、装着部を設けた携帯物取り付け具である。
布面に取り付けられる装着部（１Ａ）の下部には、凹み（３）と窓（４）を設け、さらにその凹みに向けて小さな突起（５）又は、弾性を有する植毛を無数設けてある。
一方、刺し針レバー（６）には、布針（７）と支え棒（８）を一体化したもので、さらに、布面のたわみを効果的につくる回転歯（９）を軸（１０）を介して、装着部（１Ａ）に組み込まれる構成で、この装着部を連結部（２）で組み合すことで、フック、または受け具にもなる。
【発明の効果】
【０００５】  フック、又はホルダーなどが装備されている携帯物は、本発明の装着部を組合した取り付け具を使うことによって、衣服類の表裏面にかかわらず、どの場所にでも簡単で、安全に着脱可能であり、身につけたい場所の選択が大きく広がる。
【発明の実施の最良の形態】
【０００６】  本発明の構成について説明する。
衣服のどの場所にでも簡単に取り付けられるようにした、装着部（１Ａ）の下部には、凹み（３）と窓（４）を設け、さらにその凹みに向けて小さな突起（５）又は弾性を有する植毛を無数設けてある。
これによって、布面のたわみができやすく、かつ、できたたわみを戻りにくくしてある。
その他、装着部（１Ａ）には、刺し針レバー（６）と軸（（１０）の取りつけ穴、及び布針（８）の先端を確認する溝（１１）を設けてある。
【０００７】  一方、刺し針レバー（６）には、布針（７）と支え棒（８）を一体化したもので、支え棒は、布針をガードする役割で、簡単に変形したり、折れたりしにくい強固な材質とする。
そして、使用の際は布針と支え棒はつねに連動して可動する構成である。
さらに、布面のたわみを効果的につくる回転歯（９）の歯先（１２）は、布面を痛めない程度の引っかかりを有したノコギリ状のようなもので、歯先は装着部の凹み（３）に向けてある。
この回転歯（９）も刺し針レバー（６）と連動した構成である。
【０００８】  これらを軸（１０）を介して装着部（１Ａ）に組み込まれるが、刺し針レバー（６）を回転させているとき、布針（７）の先端が回転歯（９）の歯先（１２）より出ないように、支え棒（８）と布針（７）の長さを設定して支え棒の先端部を軸（１０）に抜け止めされる構成。
これによって、刺し針レバー（６）と回転歯（９）そして軸（１０）は連動して９０度の範囲で回転自在にし、布針（７）は装着部（１Ａ）に対して、水平になったときのみ回転歯から布針の先端が、刺し針レバー（６）をスライドすることで出てくる構造で取り扱い上安全である。
装着部（１Ｂ）についても同様な構成である。
この装着部を対面して、連結部（２）で組合すことで取り付け受け具になる。
【０００９】  次に実施例について説明する。
イ）取り付け具本体の装着部（１Ａ，１Ｂ）を片方ずつ取り付ける。
装着部（１Ａ）の突起部（５）を衣服の布面に当てながら、衣服の裏面から指で装着部の突起部と凹み（３）の部分に当て、表面からは窓（４）の近辺を親指で押さえて掴んでおく。
この場合、図５のごとく衣服の裏面からは、装着部の縦方向に指を当てる。
又は、衣服の裏面は指ではなく、硬くて平らな面なら、なんでもよいが、装着部の突起（５）全体に当てられていることが望ましい。
ロ）次に、もう片方の手で刺し針レバー（６）を９０度の範囲で回転することで、回転歯（９）によって布面が装着部（１Ａ）の凹み（３）に寄せられ布のたわみが窓（４）で確認できる。図５
このとき、布のたわみがほどよい大きさになるまで、刺し針りレバー（６）の回転を繰り返す。
布面の硬さにもよるが、１回ないし２回程度でほどよいたわみができる。
布のたわみがほどよい大きさとは、装着部（１Ａ）の窓（４）の渕近辺まで布面がたわんできたかを確認する。
僅かに、２〜３ｍｍ程度のたわみで布針がしっかりと刺さる構造。
又、刺し針レバーを回転させているときは、布針（７）の先端が回転歯（９）の歯先よりでない構造であるため、衣服の裏面を指で押さえても安全である。
【０００１０】ハ）次に刺し針レバー（６）を水平にもどし、刺し針レバーを押しこみながら布のたわみに布針（７）を刺し止める。
布面の裏側を布針が、正常に刺さっているかの確認は、窓（４）から見て布針が、はみ出していないことと、布針が真直ぐ刺さっているかは布針の先端部が装着部（１Ａ）の確認溝（１１）に入っていることを確認する。図４ホ）これを装着部（１Ｂ）についても同様に行う。
ヘ）取り外すときは、装着部（１Ａ，１Ｂ）を取り付け時と同様に指で掴んで、刺し針レバー（６）を抜くことで布面から外れる。
刺し針レバー（６）には、布針（７）とそれをしっかりとガードする支え棒（８）を一体化したもので、装着部（１Ａ、１Ｂ）に対して水平になったときのみ、布針（７）が水平可動する構成である。
【０００１１】  さらに、本発明の携帯物取り付け具を使う方法として、
布面のたわみをつくる際、刺し針レバー（６）を回転させることなく、布の裏側から装着部の凹み（３）に簡単に入る程度の大きさで、布針（７）を通せるチップ（１３）を押しこみ、布針を刺しこむ方法。図６
この方法は、生地の薄い布、又は高い取り付け強度を要する場合にきわて有効である。
【０００１２】  又、このチップ（１３）を使う場合は、チップを凹み（３）に押し込むことで布面のたわみができるので、回転歯（９）軸（１０）などの回転機能も不要で刺し針レバー（６）をスライドするだけで装着部（１Ａ，１Ｂ）を布面に取り付けることができる構成。
【図面の簡単な説明】
【０００１３】
【図１】装着部（１Ａ）の斜視図（回転イメージ）
【図２】装着部（１Ａ）の組み立て前、各部の斜視図
【図３】携帯物取り付け具の上、平面図（刺し針レバー（６）閉じる）
【図４】携帯物取り付け具の上、平面図（部分破断面で刺し針レバー（６）開く途中）
【図５】装着部（１Ａ）の側面図（使用イメージ）
【図６】装着部（１Ａ）の側面図（チップ１３の使用イメージ）
【符号の説明】
（１Ａ１Ｂ）装着部  （２）連結部  （３）凹み  （４）窓  （５）突起
（６）刺し針レバー  （７）布針  （８）支え棒  （９）回転歯
（１０）軸  （１１）溝  （１２）たわみ  （１３）チップ
（１４）布面  （１５）人の指
【図１】
2007319647.tif 000003
【図２】
2007319647.tif 000004
【図３】
2007319647.tif 000005
【図４】
2007319647.tif 000006
【図５】
2007319647.tif 000007
【図６】
2007319647.tif 000008